(57)【要約】  電子機器のレインカバーにおいて、レインカバー内部に電子機器と係合するジョイント金具をレインカバーと一体的に設け、レインカバーの外部にショルダーベルトあるいはショルダーベルトの調整金具をレインカバーと一体的に設けたため、雨の日でも電子機器の移動がショルダー(ベルトにより行えるとともに、ショルダーベルトあるいはショルダーベルト取り付け部からの雨水の浸入を防止することができる。また、両金具を防水性の短ベルトで結合することで防水がより完全となるとともに、電子機器の重量を短ベルト及びレインカバーとショルダーベルトで保持することとなるため、重量の分散がなされ、金具の外れによる落下事故が防止できる。さらに傘状カバーでショルダー取り付け部分防水性を確保する際に、２重カバ-構造とし、及び／又は傘状カバーの下端を一部開放とすることでベルトを伝って浸入する水分を逃がすことが可能となる。
2010073402.tif 000002
【特許請求の範囲】
【請求項１】
電子機器のレインカバーにおいて、電子機器を係止するジョイント金具をレインカバーと一体的に内部側に設け、ショルダーベルト受け金具をレインカバー本体と一体的に外部に設けたことを特徴とする電子機器用レインカバー
【請求項２】
電子機器のレインカバーにおいて、電子機器を係止するジョイント金具をレインカバーと一体的に内部側に設け、かつレインカバー本体と一体的にショルダーベルトを外部に設けたことを特徴とする電子機器用レインカバー
【請求項３】
電子機器のレインカバーにおいて、電子機器を係止するジョイント金具を一方端部に設けショルダーベルト受け金具を他端に設けた短ベルトを少なくとも1箇所レインカバー上部に設け、該ジョイント金具はレインカバー内部に位置するようにしたことを特徴とする電子機器用レインカバー
【請求項４】
請求項３記載の電子機器のレインカバーの短ベルトとレインカバーの接合部において、レインカバー上部に設けた袖付き開口部分と短ベルトとの縫製に続き、傘状カバーによる更なる２重カバーを施したことを特徴とする電子機器用レインカバー
【請求項５】
請求項４記載の電子機器のレインカバーの短ベルトとレインカバーの接合部において、傘状カバーとレインカバーの接合部分の一部を開放してベルトに沁み込んだ水分の逃げ道を確保したことを特徴とする電子機器用レインカバー
【請求項６】
電子機器のレインカバーの製造方法において、電子機器を係止するジョイント金具とショルダーベルト受け金具を一本の防水短ベルトで結合するステップとジョイント金具をレインカバーの内側にレインカバーと一体的に設けるステップと、ショルダーベルト受け金具をレインカバー本体と一体的に外側に設けるステップと、該短ベルトとレインカバーとの接合方法として傘状のカバーによる２重カバーの縫製ステップとを有したことを特徴とする電子機器用レインカバーの製造方法。
【請求項７】
該傘状カバーのレインカバーとの縫製ステップにおいて、傘状カバーの上方端は完全縫合し、下方端は一部開放状態でレインカバーと縫合するステップを有することを特徴とする請求項６記載の電子機器用レインカバーの製造方法。
【発明の詳細な説明】
【技術分野】
【０００１】
本発明は、電子機器  すなわちテレビカメラ、ポータブルミキサーなどのレインカバーであって、雨の日にも完全に雨水の浸入を防止できるものに関する。
【背景技術】
【０００２】
一般に電子機器は水分を嫌い、使用保管においては水気対策が不可欠となる。  また、テレビカメラ等の機材は、非常に重量も大きく、しかも、取材やロケなど雨の日でも屋外での使用を強いられることが多く、雨よけ対策が重要となっている。さらに、その機材の重さのため肩で担ぐショルダーベルトが必要となり、そのショルダーベルトの取り付けのために設けられた、レインカバーの開口部から雨水が浸入することが非常に問題となっていた。【０００３】
検討の結果、この雨水の浸水は開口部から入るのはもちろんのこと、ショルダーベルトを伝ってあるいはショルダーベルトに沁み込んだ水分がベルトを伝って電子機器に伝わる点が問題であった。従って、この２点を改良したのが本発明である。【０００４】
従来、防水については、下記の特許文献があるが、これはフード伝いに雨が流れ、フード後部より雨がレンズに沁み込むのを防止できるようにしたもので、ショルダーベルト取付用の開口部からの防水方法についての文献は見当たらない。【０００５】
【特許文献１】特開２００２−５５３８７
【特許文献２】実公平６−１４２１２
【発明の開示】
【発明が解決しようとする課題】
【０００６】
これまで電子機器を雨の中で使用し、移動する場合には、機器の重量が重いため、図５に示す、カメラに設けられた取っ手（２）を手で持つか、あるいはショルダーベルトの両端金具を機器本体の引っ掛け具（３）に掛け、ショルダーベルトを肩に掛けて機器を移動している。
この時、レインカバーは一般にショルダーベルト取り付け用に開口部（４）が設けられているが、ショルダーベルト取り付け後、この開口部から雨水が沁み込み問題であった。また、この開口部からの水の浸入を防ぐために、開口先端近傍を簡易的にゴム等で縛って使用されていた。このショルダーベルトは、一般にナイロンテープなどが用いられ、強度を持たせるために、編んであることが多いが、このベルトが雨水を含み、ベルトを伝って水分が、機器本体に伝わることが問題であった。
さらに、従来ショルダーによる電子機器の吊り下げ方法では、図５の(３)に示すショルダーベルト取付用金具とジョイント金具（９）だけのジョイント方法であるため、ちょっとした振動やジョイント金具の接合角度の変化やずれによって簡単に外れることが多く、その場合には重量の重い電子機器が地面にたたきつけられ、高価な機材の損害が発生するという問題があった。
【課題を解決するための手段】
【０００７】
本発明は、電子機器のレインカバーにおいて、電子機器本体のショルダーベルト取付用金具及びショルダーベルト受け金具つき短ベルト（以下短ベルトと称する）を設け、該短ベルトは防水素材を用い、レインカバー外部にショルダーベルト受け金具を設け、レインカバー内部にジョイント金具が出るように設けていることを要旨とする。
また、該短ベルトは、一般に合成繊維等で耐久性が出るように編んだ状態で幅広な素材が用いられているが、テープ形成後防水処理を施したもの、あるいは防水繊維（ターポリン等）によるベルトを用いる。
この金具付き短ベルトは、レインカバーと一体に形成する。あるいはレインカバーに開口部を設けて縫製によりレインカバー生地を水の浸入を防ぐように取り付けても良い。この時、万一ベルトを通じて浸入した水の逃げ口を確保するために、レインカバー本体との結合縫製面の片面下方を開放することも可能である。  なお、レインカバーに開口部を設けて縫製によりレインカバー生地を水の浸入を防ぐように取り付ける方法は特に限定はないが、取り付け部縫製部分には、必ず防水シートを貼ることが必要となる。
なお、短ベルトを用いない方法としては、それぞれの金具をターポリンのような高周波ウェルダー、熱融着可能な素材にそれぞれ仮止めしたものを用意し、レインカバーを中央に挟んで高周波ウェルダー、熱融着により、一体化させても良い。レインカバー外部にはショルダーベルト受け金具が設けられ、それと対応する位置においてその内部には同じく高周波ウェルダー、熱融着可能な素材にジョイント金具が設けられ、いずれの金具もレインカバーに熱融着で一体に形成されることとなる。
【発明の効果】
【０００８】
以上説明してきたように本発明は、レインカバーと一体的にショルダー取り付け用の短ベルトあるいは両金具を設けたため、ショルダーベルトをレインカバーと一体となったショルダーベルト受け金具に通してセットすることで、機器に雨水が浸入することを防止できるとともに、その機器本体の重量を短ベルトあるいはそれと一体となっているレインカバーとで分散して受けるため、両方で電子機器を支える形となり、金具部分の一方が仮に何らかの拍子に抜けてしまっても、レインカバーによる支持があるため、電子機器が急激に地面に落下したり、たたきつけられる電子機器の移動時の事故の心配がない。また、短ベルトの取り付けはレインカバーと一体あるいは２重のカバー生地の縫製によるため、防水性に優れ、しかも２重カバー生地の外側に位置する傘状カバーの下方端の半周部分を開放とすることで万一ショルダーベルトにより水分が沁み込んだ場合にも、水分の逃げ道を確保することができ、電子機器の水分からの保護につながる。
【図面の簡単な説明】
【０００９】
【図１】本発明の金具付き短ベルトの平面図である。
【図２】本発明のレインカバーにショルダーベルトをとリつけた全体概略図である。
【図３】実施例１におけるレインカバー開口部と短ベルトの接合方法を示す説明図である。
【図４Ａ】実施例１における傘状カバーの全体概略図である。
【図４Ｂ】実施例１において傘状カバーを裏返して短ベルトに縫い付ける状態説明図である。
【図４Ｃ】実施例２において縫いつけた傘状カバーを裏返して下端を半周のみ縫い付けた状態を示す状態説明図である。
【図５Ａ】実施例３における高周波ウェルダー、熱融着素材へのジョイント金具仮止め状態を示す説明図である。
【図５Ｂ】実施例３における高周波ウェルダー、熱融着素材へのショルダーベルト受け金具仮止め状態を示す説明図である。
【図６】実施例３におけるレインカバーにおいて、ショルダーベルトを取り付けた場合の説明図である。
【図７】従来のレインカバーにおいて、ショルダーベルトを取り付けた場合の説明図である。
【発明を実施するための最良の形態】
【００１０】
本発明最良の実施例（TVカメラのレインカバー）について図１〜６を参照して説明する。
【実施例１】
【００１１】
レインカバーの素材は、防水性を有するものであれば、どのような素材でも良いが、透湿防水素材、例えば「デュ-ルファンク」「ブリザテック」（登録商標  東レコーテックス（株））などが、軽くしなやかで撥水性を有し好ましい。全ての縫い目は内側からシールドテープで覆うことで防水を完全としている。短ベルトの素材は、特にエンビ系、オレフィン系等のターポリンあるいは完全に水を通さない素材であることが必須である。ショルダーベルトと短ベルトは同じ素材であっても良いが、ショルダーベルトは防水性があることが必須ではない。
図１に示すように長さ１５ｃｍから２０ｃｍで幅３ｃｍから５ｃｍの短ベルト(７)の両端には図１に示すように、機器とのジョイント金具(９)とショルダーベルト受け金具（１０）が設けられている。このジョイント金具は図７に示す取付用金具（３）に係合するものである。このジョイント金具は、図１に示すような係合に適した穴部を有した物でもよいし、ナスカンでも良い。また他端の長さ調整用金具は、ショルダーベルトの長さ調節のために設けたものであるので、例えばDカンのような輪状の金具、あるいはシングルピンのバックル等調整可能なベルトであれば良く、片側のみ調整金具を設けた短ベルトを設け、他方は調整金具を設けない長いショルダーベルトを設けても良い。
実施例１における縫製手順としては、レインカバーの上部に２箇所に短ベルト取り付け用の袖付開口部（５）を設け、その開口部を図３に示すように、レインカバー内側に下方に引き込む、そして、その引き込んだ内部側先端からショルダージョイント用の短ベルトの先端が出るようにして開口部端を短ベルトごと縫い付ける。（５ａ）が開口部のレインカバー表面で（５ｂ）が裏面となる。縫い目については、すべて素材に適合したシールドテープ（５Ｘ）を用いて、縫い目上をテーピングし（５Ｌ）、防水を完全とする。【００１２】
次に、図４Ａ記載の傘状カバー（６）を用意する。（６ａ）が表面で（６ｂ）が裏面となる。円錐状で上下開口部を有し、前記袖付開口部（５）の外周より、若干傘状カバーの下部端をやや大きくした程度の外周とし、上部開口部は、短ベルトを挿嵌した状態でかすかにベルト外周より大きい外周とする。この傘状カバーは、ショルダーベルト取り付けのための短ベルトとレインカバー本体の接合を完全にし、より防水機能を高めるための二重カバー構造としているものである。
すなわち、上記したようにレインカバーの開口部を内側に引っ張って短ベルトをショルダージョイント金具（９）を下方に覗く状態で縫いつけたあと、図４Ｂに示すように、傘状カバーを裏返してレインカバー外部に出ている短ベルトに受け金具側からかぶせ、受け金具のすぐ下方において裏返した傘状カバーと短ベルトを縫い付ける。縫い目に同様にシールドテープを張り、図４Ｂの矢印のように傘状カバーを裏返して表面を出し、図４Ｃに示すように、傘状カバー下端外周とレインカバー表面を縫いつけ縫い目については、同様にレインカバー裏側からシールドテープを貼り付ける（図４Ｃにおいては、傘状カバーのシールドテープの図示を省略）。
このようにして、完全に防水されたショルダーベルト取り付け部材としての短ベルト（７）がレインカバー上部2箇所に設けられることになる。図２に示すように、このレインカバーに取り付けられた短ベルト先端のショルダーベルト受け金具（１０）にショルダーベルトを取り付け適宜の長さに調整し、レインカバー内部では、ジョイント金具（９）をカメラ本体の取り付け金具に掛けることでレインカバーつき、電子機器がショルダーによって移動可能となる。しかも上部の開放部分は無いため、雨水が機器に悪影響を与えることがない。
以下、実施例により本発明をさらに説明するが、本発明はこれらに限定されるものではない。
【実施例２】
【００１３】
本実施例では、短ベルト取り付けにおいて、傘状カバーの下端部とレインカバーの接合を半周としたものである。図４Ｃに示すように、半周開放部（８）を設けていると、開放部分から絶えず空気が入り込み、ベルトを伝って下方に伝わる水分がこの空気によって蒸発することとなる。このように下端部を一部開放すると、短ベルトに沁みこんで、傘状カバー内部に浸入した水分がこの開放された下端部からレインカバーの内部に沁みこまず外部に逃げることができる。開放部分は、レインカバーのどちら側でも良いが、肩に担いだ場合の身体に接しない側、外側にも受けるのが排水においても、人体に水分が当たらず、好ましい。
【実施例３】
【００１４】
本実施例では、短ベルトを用いずに、レインカバーに両金具を一体的に取り付ける方法について図５Ａ〜図６に基づいて説明する。図５Ａ及び図５Ｂに示すように、それぞれの金具をターポリンのような高周波ウェルダー、熱融着可能な素材（１５）（１６）にそれぞれテープあるいは縫製により仮止めしたものを用意し、レインカバーを中央に挟んで高周波ウェルダー、熱融着により、一体化させる。この結果図６に示すようなレインカバー外部にはショルダーベルト受け金具（１０）が設けられ、それと対応する位置においてその内部には同じく高周波ウェルダー、熱融着可能な素材（１５）にジョイント金具（９）が設けられ、いずれの金具もレインカバーに高周波ウェルダー又は熱融着で一体に形成されることとなる。このような構成のレインカバーであれば、金具取り付けのための開口部が必要ないため、開口部についての防水の懸念が不要となる。また、上下の金具が同じ位置に設けられているため、電子機器の重量をしっかり受け止めることが可能となり、強度の面で好ましい。
【産業上の利用可能性】
【００１５】
本発明は、ショルダー用のジョイント金具をレインカバーに一体的に取り付けたために、雨の日に使用しても、レインカバーやショルダーベルト等から雨水が電子機器に滲入することがなく、産業上の利用可能性を有する。
【図１】
2010073402.tif 000003
【図２】
2010073402.tif 000004
【図３】
2010073402.tif 000005
【図４Ａ】
2010073402.tif 000006
【図４Ｂ】
2010073402.tif 000007
【図４Ｃ】
2010073402.tif 000008
【図５Ａ】
2010073402.tif 000009
【図５Ｂ】
2010073402.tif 000010
【図６】
2010073402.tif 000011
【図７】
2010073402.tif 000012
【国際調査報告】
2010073402.tif 000013
2010073402.tif 000014
2010073402.tif 000015
2010073402.tif 000016